(57)【要約】【課題】  ディスクを回転させる回転駆動部を有する機構ユニットを、単純な構造によって確実に安定して外部シャーシに対してロックすることができる「ディスク装置」を提供することを目的とする。【解決手段】  駆動部材２０が反時計方向へ回転すると、スライダリンク３１が左方に移動し、スライダリンク３１と一体の突出ロック部材３３が左方に移動して、外部シャーシに設けられた係止傾斜面と当接する。一方、スライダリンク３１の左方への移動により、逆転リンク３２を介して回動ロック部材３５が反時計回り方向に回転し、回動ロック部材３５と一体の突出ロック部材３５ｃが、外部シャーシ内の凸部に当接する。これにより、外部シャーシ内で機構ユニット２が動かないように拘束される。【選択図】図１
2008130170.tif 000002
【特許請求の範囲】
【請求項１】
外部シャーシと前記外部シャーシ内で弾性支持部材を介して支持された機構ユニットとを有し、前記機構ユニットに、ディスクを駆動する回転駆動部が搭載されているディスク装置において、
前記機構ユニットには、相反する方向へ突出する突出ロック部材と、この突出ロック部材を前記機構ユニットから外部へ突出する突出姿勢と退行姿勢とに移動させる駆動機構が搭載されており、
ディスクが前記回転駆動部に向けて移送されるときに、前記突出ロック部材が前記突出姿勢となって前記外部シャーシに突き当てられ、前記機構ユニットが前記外部シャーシ内で拘束されることを特徴とするディスク装置。
【請求項２】
前記外部シャーシには、前記機構ユニットに向けて突出する係止傾斜面が設けられており、突出姿勢の前記突出ロック部材が前記係止傾斜面に押し付けられ、前記機構ユニットが、前記突出ロック部材の突出方向と交叉する方向へ拘束される請求項１記載のディスク装置。
【請求項３】
他の突出ロック部材は回動するものであり、回動した他の突出ロック部材が前記外部シャーシに掛止されて、この他の突出ロック部材と前記外部シャーシとが当接することで、前記機構ユニットは、前記他の突出ロック部材が前記係止傾斜面で拘束される方向と同じ方向へ拘束される請求項２記載のディスク装置。
【請求項４】
前記機構ユニットの両側部のそれぞれにスライダが設けられて、それぞれのスライダに拘束凹部が形成されており、
ディスクが前記回転駆動部に向けて移送されるときに、それぞれのスライダが移動して、前記外部シャーシに設けられた凸部が前記拘束凹部に保持され、前記機構ユニットは、前記突出ロック部材が前記係止傾斜面で拘束される方向と逆向きの方向に拘束される請求項２または３記載のディスク装置。
【請求項５】
前記拘束凹部の周囲部分は前記外部シャーシに向けて突出しており、前記拘束凹部が前記凸部を保持したときに、前記周囲部分が、前記凸部の基部に設けられた段部に当接して、前記機構ユニットが、前記凸部の延びる方向に拘束される請求項４記載のディスク装置。
【請求項６】
前記機構ユニットには、両側部のスライダを同期して移動させるリンク機構が設けられて、前記駆動機構により前記リンク機構が動作させられ、
前記突出ロック部材は、前記リンク機構を構成するリンクの一部で構成され、または前記リンク機構によって動作させられる請求項４または５記載のディスク装置。
【発明の詳細な説明】
【技術分野】
【０００１】
本発明は、ディスクの回転駆動部を有する機構ユニットが、ディスク駆動時に外部シャーシ内で弾性支持されるディスク装置に関する。
【背景技術】
【０００２】
下記の特許文献１に記載されたディスク装置は、外部シャーシの内部に、ディスクを回転させる回転駆動部を有するドライブシャーシが設けられ、ディスクを駆動するときに、ドライブシャーシが外部シャーシの内部で弾性支持される。
【０００３】
このディスク装置では、前記外部シャーシの両側部に、前後方向に移動する第１スライダと第２スライダが設けられており、両スライダがリンク機構によって連結されて同期して移動させられる。
【０００４】
ディスクが装置本体内に挿入されていない待機時には、第１スライダと第２スライダが外部シャーシの最も奥側の後退位置にある。このとき、ドライブシャーシに設けられた各ロックピンが、第１スライダのカム溝および第２スライダに連結して設けられたロックスライダのロック孔に係止され、さらには、外部シャーシの底面に設けられたセンターロックレバーのロックアームに係止される。よって、ディスクが回転駆動部に向けて搬入される際に、回転駆動部を有するドライブシャーシが外部シャーシの内部に拘束される。
【０００５】
ディスクが回転駆動部に装填されると、前記第１スライダと第２スライダが互いに同期して前進し、ドライブシャーシに設けられたそれぞれのロックピンに対する拘束が解除されて、ドライブシャーシが外部シャーシ内でダンパーなどで弾性的に支持される。これにより、車体振動などのドライブシャーシに対する影響が軽減される。
【特許文献１】特開２００３−３３１４９４号公報
【発明の開示】
【発明が解決しようとする課題】
【０００６】
前記特許文献１に記載のディスク装置では、第１スライダと第２スライダを動作させるリンク機構とは別に、ドライブシャーシの下面に設けられたロックピンを係止するセンターロックレバーが設けられ、このセンターロックレバーをリンク機構に連動させている。そのため、ドライブシャーシをロックする機構の構造が複雑になる。
【０００７】
また、ドライブシャーシの左右両側部に設けられたロックピンは、第１スライダに設けられたカム溝と、第２スライダに連結されているロックスライダに設けられたロック孔の２箇所で係止されるため、ドライブシャーシのシャーシに対する拘束力のバランスが悪くドライブシャーシのロックが不安定である。
【０００８】
本発明は上記従来の課題を解決するものであり、ディスクを回転させる回転駆動部を有する機構ユニットを、単純な構造によって、確実に安定して外部シャーシに対して拘束することができるディスク装置を提供することを目的としている。
【課題を解決するための手段】
【０００９】
本発明は、外部シャーシと前記外部シャーシ内で弾性支持部材を介して支持された機構ユニットとを有し、前記機構ユニットにディスクを駆動する回転駆動部が搭載されているディスク装置において、
前記機構ユニットには、相反する方向へ突出する突出ロック部材と、この突出ロック部材を前記機構ユニットから外部へ突出する突出姿勢と退行姿勢とに移動させる駆動機構が搭載されており、
ディスクが前記回転駆動部に向けて移送されるときに、前記突出ロック部材が前記突出姿勢となって前記外部シャーシに突き当てられ、前記機構ユニットが前記外部シャーシ内で拘束されることを特徴とするものである。
【００１０】
本発明のディスク装置では、機構ユニットから相反する方向へ突出する突出ロック部材が外部シャーシに当たることで、外部シャーシ内で機構ユニットが確実に拘束される。
【００１１】
本発明は、好ましくは、前記外部シャーシには、前記機構ユニットに向けて突出する係止傾斜面が設けられており、突出姿勢の前記突出ロック部材が前記係止傾斜面に押し付けられ、前記機構ユニットが、前記突出ロック部材の突出方向と交叉する方向へ拘束されるものとして構成できる。
【００１２】
突出ロック部材が係止傾斜面に当たることにより、外部シャーシ内で、機構ユニットが、突出ロック部材の突出方向と、この突出方向と交叉する方向の２つの向きで拘束される。よって、少ない部材で機構ユニットが確実に拘束される。
【００１３】
さらに、本発明は、他の突出ロック部材は回動するものであり、回動した他の突出ロック部材が前記外部シャーシに掛止されて、この他の突出ロック部材と前記外部シャーシとが当接することで、前記機構ユニットは、前記他の突出ロック部材が前記係止傾斜面で拘束される方向と同じ方向へ拘束されるものである。
【００１４】
突出ロック部材が回動することで、外部シャーシ内で、機構ユニットが、突出ロック部材の突出方向と交叉する向きに確実に拘束される。
【００１５】
また、本発明は、前記機構ユニットの両側部のそれぞれにスライダが設けられて、それぞれのスライダに拘束凹部が形成されており、
ディスクが前記回転駆動部に向けて移送されるときに、それぞれのスライダが移動して、前記外部シャーシに設けられた凸部が前記拘束凹部に保持され、前記機構ユニットは、前記突出ロック部材が前記係止傾斜面で拘束される方向と逆向きの方向に拘束されるものとして構成できる。
【００１６】
上記構成では、外部シャーシに設けられた凸部と拘束凹部とで機構ユニットを拘束する方向と、突出ロック部材と係止傾斜面とで機構ユニットを拘束する方向が互いに逆向きであるため、機構ユニットが確実に拘束される。
【００１７】
また、本発明は、前記拘束凹部の周囲部分は前記外部シャーシに向けて突出しており、前記拘束凹部が前記凸部を保持したときに、前記周囲部分が、前記凸部の基部に設けられた段部に当接して、前記機構ユニットが、前記凸部の延びる方向に拘束されるものである。
【００１８】
上記構成では、突出ロック部材が外部シャーシに突き当たることと、前記周囲部分が前記段差に当接することの双方により、機構ユニットが、突出ロック部材の突出方向に向けて確実に拘束される。
【００１９】
また本発明は、前記機構ユニットには、両側部のスライダを同期して移動させるリンク機構が設けられて、前記駆動機構により前記リンク機構が動作させられ、
前記突出ロック部材は、前記リンク機構を構成するリンクの一部で構成され、または前記リンク機構によって動作させられることが好ましい。
【００２０】
上記構成では、駆動機構によりリンク機構を介して２つのスライダが動作させられる際に、リンク機構の一部である突出ロック部材が突出し、またはリンク機構により突出ロック部材が突出させられる。よって、１つの駆動源で、機構ユニットを各方向へ拘束させることが可能である。
【発明の効果】
【００２１】
本発明のディスク装置では、ディスクを回転させる回転駆動部を搭載した機構ユニットを、単純な構造によって、外部シャーシ内に確実に拘束することができる。
【発明を実施するための最良の形態】
【００２２】
図１は本発明の実施の形態のディスク装置に設けられる機構ユニットを、底面を紙面手前側に向けて示す底面図である。図２（Ａ）は機構ユニットの左側面図、（Ｂ）は機構ユニットの右側面図であり、共に上面を上に向けて示している。図３（Ａ）（Ｂ）は外部シャーシの下部ベースを、上端を上に向け且つ異なる方向から見た斜視図である。図４は、スライダに設けられた拘束凹部と外部シャーシに設けられた凸部との係合状態を図１と同じ向きから見た部分断面図、図５はリンク機構に設けられた突出ロック部材と係止傾斜部との当接状態を上面側から見た部分斜視図、図６は、ロック回動部材と下部ベースとの係止部を上面側から見た部分斜視図、図７は、ドライブベースを昇降させる機構の一部を底面を上向きにして示す部分斜視図である。図８ないし図１０は動作説明図である。
【００２３】
全ての図面において、図示Ｘ１方向が右方向、Ｘ２方向が左方向、Ｙ１方向が前方、Ｙ２方向が後方、Ｚ１方向が上方向、そしてＺ２方向が下方向である。図１は、Ｚ２方向を紙面の手前側に向けて示した底面図である。
【００２４】
ディスク装置１は、ＤＶＤ（デジタルバーサタイルディスク）などのディスクが装填可能である。ディスク装置１は、車載用機器の１ＤＩＮサイズよりも十分に薄い大きさの外部シャーシを有している。外部シャーシは、図３（Ａ）（Ｂ）に示す下部ベース７とこの下部ベース７に重ねられる上部ベースとで構成されている。図１に示す機構ユニット２は、前記下部ベース７および上部ベースの内部に収納される。外部シャーシのＹ１側には、液晶表示パネルや各種スイッチ類を有するノーズ部が設けられ（図示せず）、前記ノーズ部に幅方向（Ｘ方向）に延びるスリット状の挿入口が設けられている。
【００２５】
図１に示すように、機構ユニット２には、搬送手段として２つの搬送ローラ６Ａ，６Ｂが設けられており、ディスクＤは、搬送ローラ６Ａ，６Ｂによって挿入口からＹ２方向に搬入され、Ｙ１方向に搬出される。
【００２６】
機構ユニット２の図１に示されている底面側には、ボトムシャーシ１２が現れており、このボトムシャーシ１２よりも中央から後方（Ｙ２方向）の領域にかけてドライブベース８が設けられている。図２（Ａ）（Ｂ）に示すように、前記ドライブベース８の上方（Ｚ１側）にはクランプベース９が対向している。このクランプベース９よりも前方にはトップシャーシ１０が設けられ、このトップシャーシ１０の両側部が前記ボトムシャーシ１２に固定されている。トップシャーシ１０とボトムシャーシ１２とで機構ユニット２のユニットシャーシが構成されており、前記挿入口から挿入されてディスクＤは、トップシャーシ１０とボトムシャーシ１２の中間の空間内に送り込まれる。
【００２７】
図１に示すように、ドライブベース８のＹ１側の先部には回転駆動部４が設けられている。図２（Ａ）（Ｂ）にも示すように、回転駆動部４では、ドライブベース８の上にスピンドルモータ５が固定されており、このスピンドルモータ５の回転軸にターンテーブルが固定されている。図１に示すように、ドライブベース８には、ヘッド部１７が設けられている。ヘッド部１７は、ドライブベース８に固定された案内軸１６，１６によって、ターンテーブルに載置されたディスクＤの記録面に沿って移動自在に案内されている。また、ドライブベース８には、ヘッド部１７をディスクＤの半径方向へ移動させるスレッド駆動機構が設けられている。
【００２８】
図２（Ａ）（Ｂ）に示すように、クランプベース９のＹ１側の先部の下面には、回転駆動部４のターンテーブルに対向するクランパ１１が設けられ、このクランパ１１はクランプベース９に回転自在に支持されている。図１に示すように、前記ドライブベース８のＹ２側の基部には、Ｘ１方向とＸ２方向の両側に支持片８ｃ，８ｃが設けられ、それぞれの支持片８ｃ，８ｃに、軸９ａ，９ａが固定されている（図１では、Ｘ１側の軸９ａのみが示されている）。クランプベース９のＹ２側の基端部は、前記軸９ａ，９ａに回動自在に支持されている。
【００２９】
前記軸９ａには、トーションコイルバネで形成された押圧付勢部材（図示せず）が設けられている。この押圧付勢部材の付勢力により、クランプベース９が軸９ａ，９ａを支点として回動付勢され、クランパ１１は、常にターンテーブルに押し付けられる方向へ付勢されている。
【００３０】
一方、前記ドライブベース８のＹ２側の基端部の両側部には、図１に示す軸ピン８ａ１と軸ピン８ａ２が固定されている。前記トップシャーシ１０のＸ１側には下方向（Ｚ２方向）に垂直に折り曲げられた支持片１０ａが形成され、前記軸ピン８ａ１が支持片１０ａに回動自在に支持されている。また、ボトムシャーシ１２にも下方向に折り曲げられた支持片１２ａが形成されており、軸ピン８ａ２が支持片１２ａに回動自在に支持されている。
【００３１】
このため、ドライブベース８は、軸ピン８ａ１，８ａ２を支点として、トップシャーシ１０およびボトムシャーシ１２から成るユニットシャーシに回動自在に支持され、さらにクランプベース９は、ドライブベース８の後方においてこのドライブベース８に回動自在に支持されている。
【００３２】
ドライブベース８は、トップシャーシ１０およびボトムシャーシ１２と平行なドライブ姿勢と、図２（Ａ）（Ｂ）に示すように、回転駆動部４を有するＹ１側がＺ２方向へ下降した傾斜姿勢であるディスク待機姿勢との間で回動する。また、クランプベース９は、クランパ１１がターンテーブルに圧接するクランプ姿勢と、クランパ１１が上向きとなるように傾斜するクランプ解除姿勢との間で回動する。
【００３３】
図１に示すように、トップシャーシ１０のＹ１側の前端には、検知ピン２６，２６が設けられている。検知ピン２６，２６は図１に示すように互いに接近する位置にあり、また接近する方向へ付勢されている。ディスクＤが挿入口からＹ２方向へ挿入されると、ディスクＤの外周縁により検知ピン２６，２６が互いに離れる方向へ移動させられる。検知ピン２６，２６が互いに離れる方向へ移動することにより、ディスクＤが挿入されたことが検知される。またディスクＤが排出され、検知ピン２６，２６が接近する位置に復帰すると、ディスクＤが完全に抜き出されたことを検知できる。
【００３４】
図１に示すように、トップシャーシ１０の左側部には左側方スライダ３Ａが設けられ、右側部には右側方スライダ３Ｂが設けられている。図２（Ａ）に示すように、左側方スライダ３ＡにはＹ１−Ｙ２方向に延びるガイド長穴４１，４２が形成されている。トップシャーシ１０の両側部にはＺ２方向に折り曲げられた側板が設けられ、この側板に支持軸５１，５２が固定されている。前記ガイド長穴４１，４２が支持軸５１，５２を摺動することにより、左側方スライダ３ＡはＹ１−Ｙ２方向へ移動自在である。図２（Ｂ）に示すように、右側方スライダ３Ｂにも、Ｙ１−Ｙ２方向に直線的に延びるガイド長穴４３，４４が形成されている。このガイド長穴４３，４４が、トップシャーシ１０の側板に固定された支持軸５３，５４を摺動することにより、右側方スライダ３Ｂは、Ｙ１−Ｙ２方向へ移動自在である。
【００３５】
図１に示すように、機構ユニット２の左後方では、前記ボトムシャーシ１２に切換えモータＭが設けられ、ボトムシャーシ１２の下面には、切換えモータＭの動力を減速して伝達する歯車群Ｈが設けられている。ボトムシャーシ１２の左側部には軸２１が固定されており、この軸２１に駆動部材２０が回動自在に設けられ、切換えモータＭの動力が歯車群Ｈを介して駆動部材２０に伝達され、駆動部材２０が回転駆動される。駆動部材２０には、駆動突起２０ａが設けられ、この駆動突起２０ａが前記左側方スライダ３Ａに係止されている。
【００３６】
切換えモータＭの動力により駆動部材２０が回動させられると、駆動部材２０と一体の駆動突起２０ａにより、左側方スライダ３ＡがＹ１方向およびＹ２方向へ直線的に移動させられる。よって、前記切換えモータＭと歯車群Ｈおよび駆動部材２０により駆動機構が構成されている。
【００３７】
図１に示すように、ボトムシャーシ１２の下面には、左側方スライダ３Ａと右側方スライダ３Ｂを連結するリンク機構３０が設けられている。リンク機構３０には、スライダリンク３１が設けられている。スライダリンク３１にはＸ１−Ｘ２方向に延びるガイド長穴３１ａ，３１ａが形成され、ボトムシャーシ１２から下方へ折り曲げて形成されている案内突起１２ｂ，１２ｂに前記ガイド長穴３１ａ，３１ａが挿通され、スライダリンク３１がＸ１方向およびＸ２方向へ移動できるように支持されている。前記駆動部材２０には連結ピン２０ｂが設けられ、この連結ピン２０ｂが、前記スライダリンク３１に形成された長穴内に係止されている。
【００３８】
前記スライダリンク３１のＸ２側に向けられている端部が、Ｘ２側に位置する一方の突出ロック部材３３である。すなわち、この実施の形態では、スライダリンク３１の一部分が一方の突出ロック部材３３である。図１に示すように、突出ロック部材３３の先端には、Ｙ１側に向けられた傾斜部により当接部３３ａが形成されている。
【００３９】
ボトムシャーシ１２の下面の右側部には逆転リンク３２が設けられている。逆転リンク３２は、ボトムシャーシ１２の下面に固定されている軸３２ａに回動自在に支持されている。逆転リンク３２には連結ピン３２ｂが固定され、この連結ピン３２ｂが前記スライダリンク３１に形成された長穴内に掛止されている。逆転リンク３２には駆動突起３２ｃが一体に形成されており、この駆動突起３２ｃが右側方スライダ３Ｂに掛止されている。
【００４０】
図１に示す動作状態では、駆動部材２０が反時計方向へ回動させられ、駆動部材２０と一体に形成された駆動突起２０ａによって、左側方スライダ３ＡがＹ２方向へ移動させられている。このとき、駆動部材２０の反時計方向への回動力により、スライダリンク３１がＸ２方向へ移動させられ、このスライダリンク３１によって、逆転リンク３２が時計方向へ回動させられている。よって、逆転リンク３２の駆動突起３２ｃにより、右側方スライダ３ＢもＹ２方向へ移動させられている。
【００４１】
図８に示すように、切換えモータＭによって駆動部材２０が時計方向へ回動させられると、駆動部材２０と一体の駆動突起２０ａによって、左側方スライダ３ＡがＹ１方向へ移動させられる。また、スライダリンク３１がＸ１方向へ移動し、逆転リンク３２が反時計方向へ回動させられて、逆転リンク３２に設けられた駆動突起３２ｃによって右側方スライダ３ＢがＹ１方向へ移動させられる。すなわちリンク機構３０が設けられていることにより、左側方スライダ３Ａと右側方スライダ３Ｂが、同期して同じＹ１方向および同じＹ２方向へ一緒に駆動される。
【００４２】
図１に示すように、ボトムシャーシ１２のＸ１側の下面には軸３５ｂが固定されており、この軸３５ｂにより回動ロック部材３５が回動自在に支持されている。回動ロック部材３５の一方の腕部には連結ピン３５ａが固定され、この連結ピン３５ａが、前記逆転リンク３２に形成された長穴内に挿入されている。回動ロック部材３５の他方の腕部がＸ１側の突出ロック部材３５ｃであり、その先部には当接部３５ｄが一体に設けられている。
【００４３】
図１に示すように、駆動部材２０が反時計方向へ回動していると、スライダリンク３１がＸ２方向へ移動させられ、スライダリンク３１のＸ２側に一体に形成されている突出ロック部材３３が、駆動ユニット２のＸ２側の側部からさらにＸ２方向へ突出している。このとき、逆転リンク３２が時計方向へ回動しているために、回動ロック部材３５が反時計方向へ回動させられ、回動ロック部材３５に一体に形成されている突出ロック部材３５ｃが、機構ユニット２のＸ１側の側部からさらにＸ１方向へ突出している。
【００４４】
図８に示すように、駆動部材２０が時計方向へ回動すると、スライダリンク３１がＸ１方向へ移動し、これと一体の突出ロック部材３３がＸ１方向へ退行する。また、逆転リンク３２が反時計方向へ回動し、これにより回動ロック部材３５が時計方向へ回動させられ、回動ロック部材３５と一体の突出ロック部材３５ｃがＸ２方向へ退行する。
【００４５】
図１と図８さらには図７と図１０に示すように、前記スライダリンク３１の中央部にはＹ２側の縁部から下側に直角に折り曲げられた制御板３１ｂが設けられており、この制御板３１ｂに、Ｙ２方向へ突出する制御ピン３１ｃが設けられている。また、ドライブベース８のＹ１側の端部には、長穴形状の姿勢切換えカム８ｂが形成されており、前記制御ピン３１ｃが姿勢切換えカム８ｂ内に挿入されている。図７と図１０に示すように、前記姿勢切換えカム８ｂは、そのＸ１側の端部がＺ２側に向けられた持ち上げ部８ｂ１であり、Ｘ２側の端部が前記持ち上げ部８ｂ１よりもＺ１側に位置する押し下げ部８ｂ２である。
【００４６】
図１および図７の動作状態では、スライダリンク３１がＸ２方向へ移動し、前記制御ピン３１ｃもＸ２方向へ移動している。このとき、制御ピン３１ｃが、姿勢切換えカム８ｂの押し下げ部８ｂ２内に位置するため、ドライブベース８は、軸ピン８ａ１，８ａ２を支点として、回転駆動部４を有する先部が押し下げられて傾斜姿勢となり、ディスク待機姿勢（退避姿勢）となる。図８および図１０に示すように、スライダリンク３１がＸ１方向へ移動すると、制御ピン３１ｃが姿勢切換えカム８ｂの持ち上げ部８ｂ１内に移動し、ドライブベース８は、回転駆動部４を有する先部が持ち上げられて、ドライブベース８がボトムシャーシ１２と同じ水平な向きとなってドライブ姿勢となる。
【００４７】
図２（Ｂ）に示すように、右側方スライダ３ＢのＹ２側に寄った部分には、クランプ持ち上げカム４５が一体に形成されている。クランプ持ち上げカム４５は、Ｙ１側の部分が持ち上げ部４５ａであり、Ｙ２側に逃げ空間４５ｂが形成されている。図１および図２（Ｂ）の動作状態では、右側方スライダ３ＢがＹ２方向へ移動しており、前記クランプ持ち上げカム４５の持ち上げ部４５ａによって、クランプベース９と一体の制御片９ｂが持ち上げられて、クランパ１１がターンテーブルから上方へ離れたクランプ解除姿勢である。
【００４８】
すなわち、図１に示す動作状態では、スライダリンク３１がＸ２方向へ移動しているために、図７に示すように、ドライブベース８が斜めに下降してディスク待機姿勢になるとともに、クランパ１１が持ち上げられて、回転駆動部４のターンテーブルとクランパ１１との間隔が広げられる。
【００４９】
図８に示すように、右側方スライダ３ＢがＹ２方向へ移動すると、図２（Ｂ）に示されているクランプベース９と一体の制御片９ｂが逃げ空間４５ｂ内に位置するため、クランプベース９は、押圧付勢部材によりＺ２方向へ付勢される。このとき、図１０に示すように、ドライブベース８が持ち上げられてドライブ姿勢となるため、回転駆動部４に設けられたターンテーブルとクランパ１１とで、ディスクの中心穴を保持できるようになる。
【００５０】
図２（Ａ）に示すように、左側方スライダ３ＡのＹ１側に寄った部分には、一対のローラ制御カム４６が貫通して形成されている。ローラ制御カム４６は、Ｙ２側に押し下げ部４６ａが形成され、Ｙ１側が逃げ空間４６ｂとなっている。前記搬送ローラ６Ａのローラ軸６Ａ１と、搬送ローラ６Ｂのローラ軸６Ｂ１は、それぞれ、前記ローラ制御カム４６内に挿入されている。また、右側方スライダ３Ｂにも前記ローラ制御カム４６が、左側方スライダ３Ａと対称に形成されている。  図１および図２（Ａ）に示すように、左側方スライダ３Ａと右側方スライダ３ＢがＹ２方向へ移動していると、ローラ軸６Ａ１とローラ軸６Ｂ１は、それぞれローラ制御カム４６の逃げ空間４６ｂ内に位置しており、搬送ローラ６Ａと搬送ローラ６Ｂは、スプリングなどの付勢力によりディスクＤに圧接される。図８に示すように、左側方スライダ３Ａと右側方スライダ３ＢがＹ１方向へ移動すると、ローラ制御カム４６の押し下げ部４６ａにより、ローラ軸６Ａ１とローラ軸６Ｂ１が押し下げられ、搬送ローラ６Ａと６Ｂが、ディスクＤから離される。
【００５１】
図２（Ａ）および図９に示すように、左側方スライダ３Ａには、Ｙ２方向に向けて開口する拘束凹部７１と、同じくＹ２方向に向けて開口する拘束凹部７２が形成されている。図２（Ｂ）に示すように、右側方スライダ３Ｂにも、Ｙ２方向に向けて開口する拘束凹部７３と、同じくＹ２方向へ向けて開口する拘束凹部７４が形成されている。図２（Ａ）に示すように、左側方スライダ３Ａには、拘束凹部７１のＹ１側の端部からＸ２側に隆起する周囲隆起部７１ａが形成されている。図４には、拘束凹部７１および周囲隆起部７１ａを断面で示している。同様に、図２（Ｂ）に示す右側方スライダ３Ｂにも、拘束凹部７３のＹ１側の端部からＸ１側に隆起する周囲隆起部７３ａが形成されている。また、拘束凹部７４のＹ１側の端部からＸ１側へ隆起する周囲隆起部７４ａが一体に形成されている。
【００５２】
図３に示すように、外部シャーシを構成する下部ベース７は、金属板で形成されており、４辺に側板が形成された枠体である。下部ベース７の左側板７Ａには支持凹部Ｓ２とＳ４が形成され、右側板７Ｂには支持凹部Ｓ１とＳ３が形成されている。それぞれの支持凹部Ｓ１ないしＳ４には、図１に示すダンパー７０が保持されている。ダンパー７０は、ゴムなどの可撓性の筐体内にオイルが封入された弾性支持部材である。図１に示すように、機構ユニット２は、トップシャーシ１０の４隅Ｄ１，Ｄ２，Ｄ３，Ｄ４に支持突起が設けられ、それぞれの支持突起がダンパー支持部材７０に支持されている。すなわち、トップシャーシ１０の隅部Ｄ２が、左側板７Ａの支持凹部Ｓ２に保持されたダンパー７０に支持され、隅部Ｄ４が、左側板７Ａの支持凹部Ｓ４に保持されたダンパー７０に支持されている。また、隅部Ｄ１と隅部Ｄ３は、右側板７Ｂの支持凹部Ｓ１とＳ３に保持されたダンパー７０，７０に支持されている。
【００５３】
機構ユニット２が、下部ベース７の内部において４つのダンパー７０を介して弾性支持されている状態で、機構ユニット２に設けられた左側方スライダ３Ａが左側板７Ａの内側に対向し、右側方スライダ３Ｂが右側板７Ｂの内側に対向する。
【００５４】
図３（Ａ）に示すように、左側板７Ａには凸部６１ａが形成されている。図４に示すように、凸部６１ａは、左側板７Ａを形成する金属板で一体に形成されている。凸部６１ａの基部は太くなっており、凸部６１ａと基部との境界部に段部６１ｂが形成されている。また、左側板７Ａには、Ｙ２側に凸部６２ａが形成されている。図３（Ｂ）に示すように、右側板７Ｂにも凸部６４ａと凸部６５ａが一体に形成されている。凸部６４ａの基部に段部６４ｂが形成されており、凸部６５ａの基部にも段部６５ｂが形成されている。
【００５５】
図２（Ａ）に示すように、左側板７Ａの凸部６１ａは、左側方スライダ３Ａに設けられた拘束凹部７１で保持可能であり、凸部６２ａは、拘束凹部７２で保持可能である。図２（Ｂ）に示すように、右側板７Ｂの凸部６４ａは、右側方スライダ３Ｂの拘束凹部７３で保持可能であり、凸部６５ａは保持凹部７４で保持可能である。
【００５６】
図３（Ａ）に示すように、左側板７Ａでは、凸部６１ａと凸部６２ａの中間に、Ｘ１方向へ突出する係止凸部６３が折り曲げ形成されている。この係止凸部６３のＹ２側の側部には、Ｙ２方向に向かうにしたがってＸ２方向に後退する係止傾斜面６３ａが形成されている。図５に示すように、機構ユニット２のＸ２側の側部においてスライダリンク３１と一体に形成された突出ロック部材３３が、前記係止傾斜面６３ａに当接可能である。図３（Ｂ）に示すように、右側板７Ｂでは、凸部６４ａと凸部６５ａの中間に、Ｘ２方向へ突出する係止凸部６６が形成されている。係止凸部６６にはＹ１方向に向く係止面６６ａが設けられている。図６に示すように、機構ユニット２のＸ１側に設けられた回動ロック部材３５の突出ロック部材３５ｃは、前記係止面６６ａに当接可能である。
【００５７】
次に、ディスク装置１の動作について説明する。
（ディスクの挿入待機モード）
ディスクＤがディスク装置１に装填されることを待つ挿入待機モードでは、図１に示すように、切換えモータＭの動力が歯車群Ｈから駆動部材２０に伝達され、駆動部材２０が反時計方向へ回動している。この駆動部材２０の駆動突起２０ａにより、左側方スライダ３ＡがＸ２方向へ移動させられ、且つ駆動部材２０と連結ピン２０ｂを介して連結されているスライダリンク３１がＸ２方向へ移動させられている。そして、図１のＸ１側に設けられた逆転リンク３２が時計方向へ回動させられて、この逆転リンク３２の駆動突起３２ｃによって右側方スライダ３ＢがＹ２方向へ移動させられている。
【００５８】
このとき、図２（Ａ）に示すように、搬送ローラ６Ａ，６Ｂのそれぞれのローラ軸６Ａ１，６Ｂ１は、左側方スライダ３Ａに形成されたローラ制御カム４６，４６の逃げ空間４６ｂ，４６ｂ内に位置し、搬送ローラ６Ａ，６Ｂは、スプリングなどの付勢力により、トップシャーシ１０の下側に固定された滑り部材５２の下面に弾圧させられている。
【００５９】
また、図７に示すように、スライダリンク３１がＸ２方向に移動していると、スライダリンク３１に形成された制御板３１ｂに固定されている制御ピン３１ｃが、ドライブベース８に設けられた姿勢切換えカム８ｂの押し下げ部８ｂ２内に位置し、ドライブベース８は、軸ピン８ａ１，８ａ２を支点として、回転駆動部４を有する先部が下降したディスク待機姿勢（退避姿勢）となっている。
【００６０】
また、図２（Ｂ）に示すように、右側方スライダ３Ｂに形成されたクランプ持ち上げカム４５の持ち上げ部４５ａによって、クランプベース９と一体の制御片９ｂが持ち上げられている。よって、ドライブベース８の回転駆動部４に設けられたターンテーブルと、クランプベース９に設けられたクランパ１１との間に、大きな空間が形成されている。
【００６１】
ディスク挿入待機モードでは、外部シャーシにダンパー７０を介して弾性支持されている機構ユニット２が、外部シャーシ内で動けないように拘束される。機構ユニット２を拘束することにより、外部からディスクＤが挿入されるときに、機構ユニット２が不用意に動くことを規制でき、ディスクＤを回転駆動部に確実に導くことができるようになる。
【００６２】
ディスク挿入待機モードでは、図２（Ａ）に示すように、左側方スライダ３ＡがＹ２方向へ移動しているため、左側方スライダ３Ａに設けられた拘束凹部７１内に、図３（Ａ）に示す下部ベース７に設けられた凸部６１ａが保持される。このとき、図４に示すように、凸部６１ａは、拘束凹部７１のＹ１側の端部に押し付けられる。これは、左側方スライダ３Ａに設けられた拘束凹部７２と凸部６２ａとの関係においても同じである。さらに、図２（Ｂ）に示すように、右側方スライダ３ＢがＹ２方向へ移動しているため、右側方スライダ３Ｂに設けられた拘束凹部７３内に図３（Ｂ）に示す凸部６４ａが保持され、拘束凹部７４内に凸部６５ａが保持される。このとき、凸部６４ａが、拘束凹部７３のＹ１側の端部に押し付けられ、凸部６５ａが、拘束凹部７４のＹ１側の端部に押し付けられている。
【００６３】
各拘束凹部７１，７２，７３，７４が、下部ベース７に設けられた凸部６１ａ，６２ａ，６４ａ，６５ａを保持することにより、下部ベース７内において、機構ユニット２はそれ以上はＹ２方向へ動かないように拘束される。さらに、各拘束凹部７１，７２，７３，７４の上下の内幅寸法と、凸部６１ａ，６２ａ，６４ａ，６５ａの直径寸法をほぼ一致させておくことにより、下部ベース７内において、機構ユニット２は上下方向（Ｚ１−Ｚ２方向）へ動かないように拘束される。
【００６４】
さらに、図４に示すように、左側方スライダ３ＡがＹ２方向へ移動していると、拘束凹部７１の周囲から突出している周囲隆起部７１ａが、凸部６１ａの基部の段部６１ｂに当接する。なお、左側方スライダ３ＡがＹ１方向へ移動すると、前記周囲隆起部７１ａが、段部６１ｂから離れる。同様に、図２（Ｂ）に示す右側方スライダ３ＢがＹ２方向へ移動していると、拘束凹部７３の周囲から突出する周囲隆起部７３ａが、凸部６４ａの基部の段部６４ｂに当接し、拘束凹部７４の周囲から突出する周囲隆起部７４ａが、凸部６５ａの段部６５ｂに当接する。
【００６５】
このように、各周囲隆起部７１ａ，７３ａ，７４ａが段部６１ｂ，６４ｂ，６５ｂに当接することにより、下部ベース７内において、機構ユニット２が左右方向（Ｘ１−Ｘ２方向）へ動かないように規制される。
【００６６】
また、図１に示すディスク挿入待機モードでは、機構ユニット２に設けられたスライダリンク３１がＸ２方向へ移動しており、図５に示すように、スライダリンク３１と一体の突出ロック部材３３の傾斜部である当接部３３ａが、左側板７Ａに形成された係止傾斜面６３ａに当接している。さらに、このとき図６に示すように、回動ロック部材３５が反時計方向へ回動し、回動ロック部材３５の一部である突出ロック部材３５ｃの当接部３５ｄが、右側板７Ｂに形成された係止凸部６６に当接している。
【００６７】
突出ロック部材３３と係止傾斜面６３ａとの当接、および突出ロック部材３５ｃと係止凸部６６との当接により、機構ユニット２は、下部ベース７内においてＹ１方向へ動かないように規制される。
【００６８】
以上のように、左側方スライダ３Ａ、右側方スライダ３Ｂ、リンク機構３０、を共通の切換えモータＭで動作させることにより、外部シャーシ内で、機構ユニット２がＸ，Ｙ，Ｚの各方向へ動かないように拘束される。
【００６９】
なお、前記実施の形態では、図１のＸ２側に設けられた突出ロック部材３３がＸ２方向へ直線軌跡で突出し、Ｘ１側に設けられた突出ロック部材３５ｃが回動動作するものであるが、左右両側の突出ロック部材が共にＸ方向へ直線軌跡で移動するものであってもよいし、あるいは、左右両側の突出ロック部材が共に回動するものであってもよい。
【００７０】
（ディスク装填動作）
ディスクＤが挿入口から挿入されると、図１に示す検知ピン２６，２６がディスクＤの外周縁によって押し開かれ、図示しないスイッチが動作させられる。これによりディスクＤの挿入が検知され、モータが始動して、搬送ローラ６Ａと搬送ローラ６Ｂが、ディスク搬入方向へ回転し始める。挿入されたディスクＤは、搬送ローラ６Ａ，６Ｂと滑り部材との間に挟まれて装置奥方向（Ｙ２方向）へ搬入される。
【００７１】
搬入されるディスクＤは、回転駆動部４に設けられたターンテーブルとクランパ１１との間に送り込まれる。ディスクＤの中心穴がターンテーブルの中心に一致したことが図示しない検知手段で検知されると、切換えモータＭによって、図１に示す駆動部材２０が時計方向へ回動させられる。
【００７２】
これにより、左側方スライダ３ＡがＹ１方向へ移動させられるとともに、スライダリンク３１がＸ１方向へ移動させられる。スライダリンク３１の移動力は、逆転リンク３２を介して右側方スライダ３Ｂに与えられ、右側方スライダ３ＢもＹ１方向へ移動させられる。
【００７３】
スライダリンク３１がＸ１方向へ移動させられると、図１０に示すように、スライダリンク３１の制御板３１ｂに設けられた制御ピン３１ｃが、ドライブベース８のＹ１側の端部に設けられた姿勢切換えカム８ｂの持ち上げ部８ｂ１内に移動し、ドライブベース８が持ち上げられてほぼ水平姿勢のドライブ姿勢となる。また、図２（Ｂ）に示す右側方スライダ３ＢがＹ１方向へ移動すると、クランプ持ち上げカム４５の逃げ空間４５ｂが、クランプベース９と一体の制御片９ｂの位置に移動する。よってクランプベース９は、押圧付勢部材の付勢力で下降させられ、ディスクＤの中心穴が、回転駆動部４に設けられたターンテーブルとクランパ１１とで挟持される。
【００７４】
また、左側方スライダ３Ａと右側方スライダ３ＢがＹ１方向へ移動すると、ローラ制御カム４６の押し下げ部４６ａによって、ローラ軸６Ａ１とローラ軸６Ｂ１が押し下げられ、搬送ローラ６Ａ，６ＢがディスクＤの下面から離れる。
【００７５】
また、図９に示すように、左側方スライダ３ＡがＹ１方向へ移動すると、拘束凹部７１，７２が、左側板７Ａに形成された凸部６１ａ，６２ａから離れる。同様に、右側方スライダ３ＢがＹ１方向へ移動すると、拘束凹部７３，７４が、凸部６４ａ，６５ａから離れる。さらに、スライダリンク３１がＸ１方向へ移動するために、突出ロック部材３３が、図５に示す左側板７Ａの係止傾斜面６３ａから離れ、さらに図１に示す回動ロック部材３５が時計方向へ回動し、回動ロック部材３５に設けられた突出ロック部材３５ｃの当接部３５ｄが、図６に示す右側板７Ｂの係止凸部６６から離れる。
【００７６】
よって、機構ユニット２は、外部シャーシ内において、ダンパー７０で弾性支持される。この状態で、回転駆動部４に設けられたスピンドルモータ５でターンテーブルおよびディスクＤが回転させられ、ヘッド部１７によって、ディスクＤに対する記録または再生動作が行われる。機構ユニット２が弾性支持されているため、外部シャーシに作用する外部からの振動が機構ユニット２に直接に作用するのを抑制できるようになる。
【００７７】
以上、前記実施の形態では、機構ユニット２の左右両側部で移動する、左側方スライダ３Ａと右側方スライダ３Ｂの動作、および機構ユニット２の底部に設けられたリンク機構３０の動作により、弾性支持されている機構ユニット２を、Ｘ，Ｙ，Ｚの各方向へ拘束できる。よって、薄型のディスク装置１を構成できる。
【図面の簡単な説明】
【００７８】
【図１】本発明の実施の形態のディスク装置に設けられる機構ユニットを、底面を紙面の手前側に向けて示す底面図であり、ディスク挿入待機モードを示す。
【図２】（Ａ）は機構ユニットの左側面図、（Ｂ）は機構ユニットの右側面図であり、共に上端を上向きに示している。
【図３】（Ａ）（Ｂ）は、外部シャーシを構成する下部ベースを、異なる向きから示す斜視図。
【図４】拘束凹部と凸部との保持動作を示す部分断面図。
【図５】機構ユニットのＸ２側に設けられた突出ロック部材と、係止傾斜面との当接状態を示すものであり、底部を上向きにして示す部分斜視図。
【図６】機構ユニットのＸ１側に設けられた回動式の突出ロック部材と、右側板との当接状態を示すものであり、底部を上向きにして示す部分斜視図。
【図７】ドライブベースが下降している状態を、底部を上向きにして示す部分斜視図。
【図８】図１と同様の底面図であり、ディスク駆動モードを示す。
【図９】図２（Ａ）と同様の左側面図であり、ディスク駆動モードを示す。
【図１０】図７と同様の部分斜視図であり、ドライブベースが上昇している状態を示す。
【符号の説明】
【００７９】
１  ディスク装置
２  機構ユニット
３Ａ  左側方スライダ
３Ｂ  右側方スライダ
４  回転駆動部
５  スピンドルモータ
７  下部ベース
７Ａ  左側板
７Ｂ  右側板
８  ドライブベース
９  クランプアーム
１０  トップシャーシ
１１  クランパ
１２  ボトムシャーシ
２０  駆動部材
３０  リンク機構
３１  スライダリンク
３１ｃ  姿勢切換えピン
３２  逆転リンク
３３  突出ロック部材
３５  回動ロック部材
３５ｃ  回動ロック部材
６１ａ，６２ａ，６４ａ，６５ａ  凸部
６１ｂ，６４ｂ，６５ｂ  段部
６３ａ  係止傾斜面
６６ａ  係止凸部
７０  弾性支持部材
７１，７２，７３，７４  拘束凹部
７１ａ，７３ａ，７４ａ  周囲隆起部
【図１】
2008130170.tif 000003
【図２】
2008130170.tif 000004
【図３】
2008130170.tif 000005
【図４】
2008130170.tif 000006
【図５】
2008130170.tif 000007
【図６】
2008130170.tif 000008
【図７】
2008130170.tif 000009
【図８】
2008130170.tif 000010
【図９】
2008130170.tif 000011
【図１０】
2008130170.tif 000012